(57)【特許請求の範囲】
【請求項１】
除雪部において掻き込まれた雪をブロワにより吹き上げ、シュートを介して投雪する投雪シュート（１０）を備えた歩行型除雪機において、上記投雪シュート（１０）の基端部側に、所定長さの固定シュート（１２）を固着し、この固定シュート（１２）の外側に、その固定シュート（１２）の長さの範囲で摺動可能の伸縮シュート（１３）を密着して重設し、その伸縮シュート（１３）の下端部外側に、上下一対のバンドガイド兼補強リブ（１４）・（１４）を設け、このバンドガイド兼補強リブ（１４）・（１４）間における伸縮シュート（１３）の外周面に、先端側を折り曲げて固定シュート（１２）の内端縁に係止した一対の締め付けバンド（１５）・（１５）を巻き回し、この一対の締め付けバンド（１５）・（１５）の、所定の間隔をあけて対向する基端部間に手動のノブネジ（１６）を挿通し、このノブネジ（１６）の締め付けにより締め付けバンド（１５）・（１５）を介して固定シュート（１２）に伸縮シュート（１３）を締め付け固定し、ノブネジ（１６）の締め付けの緩めにより締め付けバンド（１５）の締め付けを解除して伸縮シュート（１３）を摺動（伸縮）可能としたことを特徴とする歩行型除雪機の投雪シュート伸縮装置。
【発明の詳細な説明】
【０００１】
【発明の属する技術分野】
本発明は、固定シュートに対して伸縮シュートを手動により無段階に伸縮できるようにした歩行型除雪機の投雪シュート伸縮装置に関する。
【０００２】
【従来の技術】
従来、除雪部において掻き込まれた雪をブロワにより吹き上げ、シュートを介して投雪方向を調節しながら投雪する投雪シュートを備えた歩行型除雪機が知られている。また、その投雪シュートを、交換可能の短尺シュートと長尺シュートを予め用意しておいて、必要に応じて付け替えて使用する技術も周知である。
【０００３】
このような歩行型除雪機を用いて、ビニールが張られていない骨組み（支柱）だけのビニールハウス内、あるいはビニールが張られたビニールハウス外側の除雪を行うときは、骨組み（支柱）だけのビニールハウス内では、投雪シュートの長さが長いとシュートが骨組み（支柱）と接触するので、短尺シュートに付け替える必要がある。また、ビニールハウスの外側（ビニールハウス間）の除雪を行う場合は、長尺シュートを用いないと、ビニールハウスを越えて投雪することができない。
【０００４】
【発明が解決しようとする課題】
上記のように、従来の歩行型除雪機においては、投雪シュートの投雪高さを変えるには、予め交換可能の短尺シュートと長尺シュートを用意しておいて、必要に応じて付け替えて使用するようにしている。このため、短尺シュートと長尺シュートの両方を用意する余分な経費と、シュートを交換するための労力及び時間を必要としていた。一方、乗用タイプの大型除雪機においては、投雪シュート二重構造にしておいて、油圧シリンダや電動シリンダなどを用いて伸縮させるものもあるが、生産コストが高くなり、そのままの構造では歩行型除雪機に適用することはできなかった。
本発明は上記の問題点を解決することを目的になされたものである。
【０００５】
【課題を解決するための手段】
上記の目的を達成するために本発明は、以下の構成を有する。
Ａ．除雪部において掻き込まれた雪をブロワにより吹き上げ、シュートを介して投雪する投雪シュートを備えた歩行型除雪機において、上記投雪シュートの基端部側に、所定長さの固定シュートに対して、その長さ範囲で摺動可能の伸縮シュートを設け、該伸縮シュートの伸縮範囲の任意位置で固定、固定解除する固定手段を設けたことを特徴としている。
【０００６】
Ｂ．上記固定手段は、固定シュートと伸縮シュートを締め付けるバンドを、手動のノブネジにより締め付けて固定シュートに伸縮シュートを固定し、締め付けを解除して伸縮シュートを摺動可能としたことを特徴としている。
【０００７】
Ｃ．上記伸縮シュートは、固定シュートの長さ範囲で無段階に伸縮可能としたことを特徴としている。
【０００８】
Ｄ．上記固定シュートと伸縮シュートは、密着して重設されていることを特徴としている。
【０００９】
【作用】
上記の構成によって、本発明の歩行型除雪機の投雪シュート伸縮装置は、以下の作用を行う。
▲１▼．上記Ａ．の構成により、伸縮シュートは、固定シュートに対してその長さ範囲で伸縮可能であり、その伸縮範囲の任意位置で固定手段により固定、固定解除され、一本の投雪シュートにより、投雪高さの異なる作業が容易に選択できる。
【００１０】
▲２▼．上記Ｂ．の構成により、伸縮シュートを伸縮する際の固定、固定解除の操作が手動のノブネジにより行われ、操作が簡単である上、伸縮シュートは１本でよいのでユーザーの経費負担が軽減される。
【００１１】
▲３▼．上記Ｃ．の構成により、伸縮シュートは無段階に伸縮可能であり、所望の投雪高さに簡単、かつ容易に調節することができる。また、伸縮シュートの収納が容易となる。
▲４▼．上記Ｄ．の構成により、固定シュートと伸縮シュートを密着して重設することで、固定シュートと伸縮シュートは相互の強度を補完しあい、しっかり固定でき、両シュートの隙間から雪の吹き出しがなく、固定シュート及び伸縮シュートを軽量に構成することができる。
【００１２】
【発明の実施の形態】
以下、本発明の一実施の形態を添付の図面を参照して具体的に説明する。
図３及び図４において、符号１は自走式の歩行型除雪機で、この除雪機１は、基台２の下側に左右一対のクローラ走行装置３を装備し、基台２上にエンジン部４及び油圧装置などを搭載すると共に、エンジン部４の後方の基台２下部に、図示しない油圧無段変速装置（ＨＳＴ）を備えるトランスミッション（変速機構）５を装着し、その上側にバー式の操縦ハンドル６及び操作部７を設けている。基台２の前側には、フローティング及びローリング制御が可能となっている除雪部（オーガ部）８と、除雪部８から上方に延び、除雪部８に掻き込まれてブロワ９により吹き上げられる雪を投擲するための，投雪方向を変更可能にした投雪シュート１０、及び投雪シュート１０の上側において投雪角度調節用シリンダ１１ａにより投雪角度を調節可能にした投雪角度調節筒１１が設けられ、機体の前進走行と共に除雪作業が行われる。
【００１３】
上記投雪シュート１０は、図１（ａ），（ｂ）及び図２に詳細に示すように、投雪シュート１０の基端部側に所定長さの固定シュート１２を固着し、この固定シュート１２の外側に、その長さ範囲で摺動可能の伸縮シュート１３を密着して重設している。この伸縮シュート１３は、その伸縮範囲の任意位置で固定手段により固定、固定解除されるようになっている。固定手段は、伸縮シュート１３の下端部外側に上下一対のバンドガイド兼補強リブ１４を設け、このバンドガイド兼補強リブ１４，１４間に、先端を折り曲げて固定シュート１２の内端縁に係止した一対の締め付けバンド１５，１５を巻回し、所定の間隔を開けて対向させた締め付けバンド１５，１５の基端部間に手動のノブネジ１６を挿通し、このノブネジ１６を締め付けることにより締め付けバンド１５，１５を介して固定シュート１２に伸縮シュート１３を締め付けて固定し、ノブネジ１６の締め付けを緩めることにより、締め付けバンド１５，１５の締め付けを解除して伸縮シュート１３を摺動（伸縮）可能にしている。固定シュート１２の上端部内側に、伸縮シュート１３の抜け止めとなるストッパ１２ａが設けられている。
【００１４】
従って、上記伸縮シュート１３は、ノブネジ１６による締め付けバンド１５，１５の締め付け、締め付け解除により、固定シュート１２の長さ範囲で無段階に伸縮、固定が可能である。また、投雪シュート１０の投雪方向は、固定シュート１２の基端側に設けられた回動機構により回動することによって調節される。投雪シュート１０の投雪角度は、投雪角度調節筒１１を投雪角度調節用シリンダ１１ａにより角度変更して調節される。ここで、この実施例における投雪シュート１０の伸縮幅は、図１（ａ）及び図３の伸縮シュート１３を最も収縮させた状態で先端部までの高さが９８９ｃｍ、図１（ｂ）及び図４の伸縮シュート１３を最も伸長させた状態で先端部までの高さが１２９８ｍｍであり、ほぼ３００ｍｍの範囲で伸縮自在である。また、投雪角度調節筒１１の投雪角度を最も大きくした状態（図１，図３及び図４の状態）で５３度である。
【００１５】
基台２の前端左右中央部に除雪部８の後部左右中央部が左右回動可能に支持され、その回動支持部を通って基台２側から除雪部８側に動力が伝達され、除雪部８が駆動される。回動支持部と基台２との間には横方向に図示しない油圧シリンダが介装され、この油圧シリンダの伸縮作動により除雪部８及び投雪シュート１０が左右回動（ローリング）制御される。該油圧シリンダの伸縮作動操作は、上記操作部７に配設された除雪部ローリング操作レバーにより、図示しないソレノイドバルブを切換えて行われる。
【００１６】
除雪部８を左右回動させる油圧シリンダの伸縮、フリーの切換えは、自動・手動切換えレバーにより、除雪部８のローリングが自動と手動とに切換えられる。そして、除雪部８のローリングを手動に切換えたとき、除雪部ローリング手動操作レバーを左右方向に傾動させて除雪部８のローリングを制御する。また、除雪部８のローリング制御を自動水平状態にしているときでも除雪部ローリング制御ダイヤルによる手動操作が可能であり、その手動操作を解除すると除雪部８が自動水平状態に復帰し、除雪部８のローリング制御を傾斜状態に制御しているときでも、自動水平制御が可能となる自動水平制御装置が設けられている。これらの制御は、何れも電子制御回路に連繋して行われる。
【００１７】
上記除雪部８は、下部オーガ８ａと上部オーガ８ｂを備え、機体の前進と共に対向する積雪を掻き込んで左右両側から中央部に集め、下部オーガ８ａの左右中間部後方に設けられたブロワ９により上方に吹き上げて投雪シュート１０、投雪角度調節筒１１を介して投雪される。また、投雪シュート１０は、シュート回動部を回動させて投雪方向を変え、伸縮シュート１３の高さを調節し、投雪角度調節筒１１の上下角度を投雪角度調節用シリンダ１１ａにより変えて投雪距離を調節する。除雪部７の左右両端部には図示しない接地ソリが設けられ、除雪部７のローリングを自動にしたとき接地または接雪状態で移動する。
【００１８】
投雪シュート１０のシュート回動部及び投雪角度調節筒１１の操作は、除雪部昇降・機体左右旋回レバーの頂部（あるいはその付近であってもよい）に設けた投雪距離・方向調節スイッチによって、左右方向一方に傾動させたときに投雪角度調節筒１１が作動して投雪距離が、左右方向他方に傾動させたときにはシュート回動部が作動して投雪シュート１０の左右投雪方向がそれぞれ調節される。投雪シュート１０の高さは、ノブネジ１６による締め付けバンド１５，１５の締め付け、締め付け解除により、伸縮シュート１３を固定シュート１２の長さ範囲で無段階に伸縮、固定して調節される。
【００１９】
また、操作部７には、除雪部８の下部オーガ８ａ、上部オーガ８ｂ及びブロワ９への動力を接・断する除雪クラッチ、エンジン部４の回転数を制御するスロットルレバー、エンジン部４からトランスミッション５への動力を接・断しクローラ３，３による走行をオン・オフする走行クラッチ、機体の前・後進、除雪部の回転速度を無段変速で切換える速度調整レバー、非常停止スイッチ等が設けられている。また、操縦ハンドル６の下側には非常停止レバーが設けられ、機体中央部上方にはライト１７が設けられている。
【００２０】
このような構成の歩行型除雪機１においては、エンジン部４からの動力が操作部７における各種操作装置の操作により、トランスミッション５や除雪部８等に動力伝達され、また、２つの油圧シリンダ、シュート回動部、投雪角度調節用シリンダ１１ａ等が制御される。そして、クローラ３が駆動されて機体が走行し、除雪部８，高さを調節された投雪シュート１０、角度調節された投雪角度調節筒１１により除雪・投雪作業が行われる。このような除雪作業時には機体は低速走行しており、信地旋回あるいは超信地旋回は低速で行われる。
【００２１】
【発明の効果】
以上説明したように本発明の歩行型除雪機の投雪シュート伸縮装置によれば、以下の作用効果を奏することができる。
【００２２】
▲１▼．投雪シュートの基端部側に、所定長さの固定シュートに対して、その長さ範囲で摺動可能の伸縮シュートを設け、該伸縮シュートの伸縮範囲の任意位置で固定、固定解除する固定手段を設けたので、伸縮シュートは、固定シュートに対してその長さ範囲で伸縮可能となり、その伸縮範囲の任意位置で固定手段により固定、固定解除され、一本の投雪シュートにより、投雪高さの異なる作業が容易に実施することができる。そして、ビニールが張られていない骨組み（支柱）だけのビニールハウス内、あるいはビニールが張られたビニールハウス外側の除雪を行うときに、骨組み（支柱）だけのビニールハウス内では、投雪シュートの長さを短くすることでシュートの上端部が骨組み（支柱）と接触することなく作業ができる。また、ビニールが張られたビニールハウスの外側でビニールハウス間の除雪を行う場合は、投雪シュートの長さを長くすることで、ビニールハウスを越えた投雪作業を行うことができる。従って、予め短尺シュートと長尺シュートを用意しておいて、交換する必要がなく、また、経費負担を少なくすることができる。
【００２３】
▲２▼．固定手段は、固定シュートと伸縮シュートを締め付けるバンドを、手動のノブネジにより締め付けて固定シュートに伸縮シュートを固定し、締め付けを解除して伸縮シュートを摺動可能としたので、伸縮シュートを伸縮する際の固定、固定解除の操作が手動のノブネジの締め付け、締め付け解除により簡単に行われ、伸縮シュートの伸縮操作を簡単に行うことができる。また、伸縮シュートは１本でよく、短尺シュートと長尺シュートを用意しておいて交換する場合のように、面倒な手間を必要とせず、ユーザーの時間的、経費的負担を軽減することができる。
【００２４】
▲３▼．伸縮シュートは、固定シュートの長さ範囲で無段階に伸縮可能としたので、伸縮シュートは無段階に伸縮可能となり、所望の投雪高さに簡単、かつ容易に調節することができる。また、伸縮シュートの収納が容易となり、天井の低い格納庫にも容易に収納することができる。
【００２５】
▲４▼．固定シュートと伸縮シュートは、密着して重設されているので、固定シュートと伸縮シュートを密着して重設することで、固定シュートと伸縮シュートは相互の強度を補完しあい、しっかり固定することができる。また、両シュートの隙間から雪の吹き出しがなく、固定シュート及び伸縮シュートを軽量に構成することができる。
【図面の簡単な説明】
【図１】本発明による投雪シュートを示し、（ａ）は伸縮シュートを最も収縮した状態の側面図、（ｂ）は伸縮シュートを最も伸長した状態の側面図である。
【図２】図１（ａ）のＡ−Ａ線断面図である。
【図３】本発明による投雪シュートを最も収縮した状態の除雪機全体の側面図である。
【図４】本発明による投雪シュートを最も伸長した状態の除雪機全体の側面図である。
【符号の説明】
１  歩行型除雪機
２  基台
３  クローラ走行装置
４  エンジン部
５  トランスミッション
６  操縦ハンドル
７  操作部
８  除雪部（オーガ部）
９  ブロワ
１０  投雪シュート
１１  投雪角度調節筒  １１ａ  投雪角度調節用シリンダ
１２  固定シュート  １２ａ  ストッパ
１３  伸縮シュート
１４  バンドガイド兼補強リブ
１５  締め付けバンド
１６  ノブネジ
１７  ライト
【図１】
0004382270.tif 000002
【図２】
0004382270.tif 000003
【図３】
0004382270.tif 000004
【図４】
0004382270.tif 000005